(57)【要約】【課題】  ＤＶＤプレーヤ以外の機器でもＤＶＤプレーヤが再生するコンテンツのコンテンツ情報を表示すること。【解決手段】  ＤＶＤプレーヤは、再生されるコンテンツの目次情報をＡＶアンプに送信する。ＡＶアンプは、自身及び自身に接続されているＡＶ機器の中から外部サーバに接続可能な機器を検索し、検索した機器に目次情報に基づいてコンテンツ情報を外部サーバから取得させる。従って、ＡＶアンプまたはその他ＡＶ機器（例えば、ディスプレイ装置や他のＤＶＤプレーヤ等）が、ＤＶＤプレーヤが再生するコンテンツのコンテンツ情報を表示することができる。【選択図】図２
2009245572.tif 000002
【特許請求の範囲】
【請求項１】
コンテンツを再生するコンテンツ再生装置と、前記コンテンツ再生装置に接続可能であり、前記コンテンツ再生装置から送信されたコンテンツを受信するコンテンツ受信装置と、前記コンテンツ受信装置に接続可能な１又は複数のＡＶ機器とを備えるコンテンツ情報表示システムであって、
前記コンテンツ再生装置が、前記コンテンツに関する目次情報を前記コンテンツ受信装置に送信する目次送信手段を有し、
前記コンテンツ受信装置が、前記目次情報を受信する目次情報受信手段と、
前記コンテンツ受信装置および前記ＡＶ機器の中から、ネットワークを介して外部サーバに接続可能な機器を検索する検索手段と、
前記検索手段によって前記外部サーバに接続可能な機器として前記コンテンツ受信装置が検索されたとき、前記目次情報を元に前記外部サーバからコンテンツ情報を取得する第１取得手段と、
前記検索手段によって前記外部サーバに接続可能な機器として前記ＡＶ機器が検索されたとき、前記ＡＶ機器に、前記目次情報を含むコンテンツ情報取得指示を送信する指示送信手段とを有し、
前記ＡＶ機器が、前記コンテンツ受信装置から前記コンテンツ情報取得指示を受信する指示受信手段と、
前記コンテンツ情報取得指示に含まれている前記目次情報を元に前記外部サーバからコンテンツ情報を取得する第２取得手段とを有し、
前記コンテンツ情報表示システムが、前記コンテンツ再生装置、前記コンテンツ受信装置及び前記ＡＶ機器が有する各表示手段の少なくとも１つにおいて、前記コンテンツ情報を表示する、コンテンツ情報表示システム。
【請求項２】
前記検索手段が、最初に前記コンテンツ受信装置が前記外部サーバに接続可能か否かを判断し、前記コンテンツ受信装置が前記外部サーバに接続不可能である場合に、前記ＡＶ機器の中から前記外部サーバに接続可能な機器を検索する、請求項１に記載のコンテンツ情報表示システム。
【請求項３】
前記コンテンツ再生装置が、前記目次情報を元に前記外部サーバから前記コンテンツ情報を取得する第３取得手段をさらに有し、
前記第３取得手段が前記コンテンツ情報を取得できないとき、前記目次送信手段が前記コンテンツ受信装置に前記目次情報を送信する、請求項１または２に記載のコンテンツ情報表示システム。
【請求項４】
前記ＡＶ機器が、前記第２取得手段が取得した前記コンテンツ情報を、前記コンテンツ受信装置に送信する第１コンテンツ情報送信手段をさらに有し、
前記コンテンツ受信装置が、前記ＡＶ機器から前記コンテンツ情報を受信する第１コンテンツ情報受信手段と、
前記第１コンテンツ情報受信手段によって受信された前記コンテンツ情報を、前記コンテンツ再生装置及び前記他のＡＶ機器の少なくとも１つに送信する第２コンテンツ情報送信手段とをさらに有する、請求項１〜３のいずれかに記載のコンテンツ情報表示システム。
【請求項５】
前記コンテンツ受信装置が、前記第１取得手段が取得した前記コンテンツ情報を、前記コンテンツ再生装置及び前記ＡＶ機器の少なくとも１つに送信する第３コンテンツ情報送信手段をさらに有する、請求項１〜４のいずれかに記載のコンテンツ情報表示システム。
【請求項６】
請求項１〜５のいずれかに記載のコンテンツ情報表示システムに適用されるコンテンツ受信装置であって、
前記目次情報を受信する目次情報受信手段と、
前記コンテンツ受信装置および前記ＡＶ機器の中から、ネットワークを介して外部サーバに接続可能な機器を検索する検索手段と、
前記検索手段によって前記外部サーバに接続可能な機器として前記コンテンツ受信装置が検索されたとき、前記目次情報を元に前記外部サーバからコンテンツ情報を取得する第１取得手段と、
前記検索手段によって前記外部サーバに接続可能な機器として前記ＡＶ機器が検索されたとき、前記ＡＶ機器に、前記目次情報を含むコンテンツ情報取得指示を送信する指示送信手段とを備える、コンテンツ受信装置。
【請求項７】
請求項６に記載の各手段をコンピュータに実行させる、コンテンツ受信装置の動作プログラム。
【発明の詳細な説明】
【技術分野】
【０００１】
本発明は、コンテンツ再生装置で再生されるコンテンツのコンテンツ情報を表示するコンテンツ情報表示システムに関する。
【背景技術】
【０００２】
ＤＶＤプレーヤと、ＡＶアンプと、ディスプレイ装置とを備えるコンテンツ再生システムが利用されている。ＤＶＤプレーヤは、コンテンツを再生し、ＡＶアンプに送信する。ＡＶアンプは、コンテンツに含まれる音声データに音声処理を実行し、スピーカーに出力する。また、ＡＶアンプは、映像データをディスプレイ装置に送信する。ディスプレイ装置は、ＡＶアンプから供給された映像データに映像処理を実行し、表示する。
【０００３】
ＤＶＤプレーヤは、ＣＤに記録されている曲データを再生する際に、インターネット経由で外部のコンテンツ情報（例えばＣＤＤＢ）サーバにアクセスし、ＣＤのＴＯＣ（Table Of Contents）情報をコンテンツ情報サーバに送信することによって、コンテンツ情報サーバからＣＤの各曲データに関するコンテンツ情報（例えば、曲名、アーティスト名、アルバム名等）を取得する。取得したコンテンツ情報は、ＤＶＤプレーヤの表示部（ＬＣＤやＦＬ管等）に表示することができる。このように、ＤＶＤプレーヤは再生している曲データのコンテンツ情報を表示することができるが、曲データを再生していないＡＶアンプ、ディスプレイ装置又はその他の機器は、ＤＶＤプレーヤが再生している曲データを表示することができない。
【０００４】
また、コンテンツ情報サーバにアクセスし、曲データのコンテンツ情報を取得するためには、ＤＶＤプレーヤがインターネットを介してコンテンツ情報サーバに接続する必要がある。しかし、ＤＶＤプレーヤが何らかの原因でインターネットに接続できないためコンテンツ情報サーバにアクセスできない場合、または、インターネットに接続するためのネットワーク通信部を備えていない場合には、コンテンツ情報を取得できないので、ＤＶＤプレーヤに曲データのコンテンツ情報を表示することができない。
【０００５】
【特許文献１】特開平９−１０６６６１号公報
【発明の開示】
【発明が解決しようとする課題】
【０００６】
本発明は上記従来の課題を解決するためになされたものであり、その目的は、ＤＶＤプレーヤ以外の機器でもＤＶＤプレーヤが再生するコンテンツのコンテンツ情報を表示するコンテンツ情報表示システムを提供することである。また、別の目的は、ＤＶＤプレーヤがコンテンツ情報サーバに接続できない場合でも、ＤＶＤプレーヤが再生するコンテンツのコンテンツ情報を、ＤＶＤプレーヤ、ＡＶアンプ、及び／又はその他の機器に表示できるコンテンツ情報表示システムを提供することである。
【課題を解決するための手段】
【０００７】
本発明の好ましい実施形態によるコンテンツ情報表示システムは、コンテンツを再生するコンテンツ再生装置と、前記コンテンツ再生装置に接続可能であり、前記コンテンツ再生装置から送信されたコンテンツを受信するコンテンツ受信装置と、前記コンテンツ受信装置に接続可能な１又は複数のＡＶ機器とを備える。前記コンテンツ再生装置が、前記コンテンツに関する目次情報を前記コンテンツ受信装置に送信する目次送信手段を有する。前記コンテンツ受信装置が、前記目次情報を受信する目次情報受信手段と、前記コンテンツ受信装置および前記ＡＶ機器の中から、ネットワークを介して外部サーバに接続可能な機器を検索する検索手段と、前記検索手段によって前記外部サーバに接続可能な機器として前記コンテンツ受信装置が検索されたとき、前記目次情報を元に前記外部サーバからコンテンツ情報を取得する第１取得手段と、前記検索手段によって前記外部サーバに接続可能な機器として前記ＡＶ機器が検索されたとき、前記ＡＶ機器に、前記目次情報を含むコンテンツ情報取得指示を送信する指示送信手段とを有する。前記ＡＶ機器が、前記コンテンツ受信装置から前記コンテンツ情報取得指示を受信する指示受信手段と、前記コンテンツ情報取得指示に含まれている前記目次情報を元に前記外部サーバからコンテンツ情報を取得する第２取得手段とを有する。前記コンテンツ情報表示システムが、前記コンテンツ再生装置、前記コンテンツ受信装置及び前記ＡＶ機器が有する各表示手段の少なくとも１つにおいて、前記コンテンツ情報を表示する。
【０００８】
コンテンツ再生装置は、再生されるコンテンツの目次情報をコンテンツ受信装置に送信する。コンテンツ受信装置は、自身及び自身に接続されているＡＶ機器の中から外部サーバに接続可能な機器を検索し、検索した機器に目次情報に基づいてコンテンツ情報を取得させる。従って、コンテンツを再生しないコンテンツ受信装置またはその他ＡＶ機器（例えば、ディスプレイ装置や他のコンテンツ再生装置等）が、コンテンツ再生装置が再生するコンテンツのコンテンツ情報を表示することができる。さらに、コンテンツ再生装置が外部サーバに接続できない場合であっても、コンテンツ受信装置又は他のＡＶ機器のうち、外部サーバに接続可能な機器が検索されることにより、外部サーバに接続可能な機器が外部サーバからコンテンツ情報を取得して、いずれかの機器でコンテンツ情報を表示することができる。
【０００９】
好ましくは、前記検索手段が、最初に前記コンテンツ受信装置が前記外部サーバに接続可能か否かを判断し、前記コンテンツ受信装置が前記外部サーバに接続不可能である場合に、前記ＡＶ機器の中から前記外部サーバに接続可能な機器を検索する。
【００１０】
この場合、コンテンツ受信装置が外部サーバに接続可能であれば、コンテンツ受信装置からＡＶ機器にコンテンツ情報取得指示を送信する必要がなくなるので、無駄なコマンドの送受信を省略することができる。
【００１１】
好ましくは、前記コンテンツ再生装置が、前記目次情報を元に前記外部サーバから前記コンテンツ情報を取得する第３取得手段をさらに有し、前記第３取得手段が前記コンテンツ情報を取得できないとき、前記目次送信手段が前記コンテンツ受信装置に前記目次情報を送信する。
【００１２】
この場合、コンテンツ再生装置が外部サーバに接続可能であれば、コンテンツ受信装置における、外部サーバに接続可能な機器を検索する処理や、ＡＶ機器にコンテンツ情報取得指示を送信する処理が不要になるので、処理を簡素化することができる。
【００１３】
好ましくは、前記ＡＶ機器が、前記第２取得手段が取得した前記コンテンツ情報を、前記コンテンツ受信装置に送信する第１コンテンツ情報送信手段をさらに有し、前記コンテンツ受信装置が、前記ＡＶ機器から前記コンテンツ情報を受信する第１コンテンツ情報受信手段と、前記第１コンテンツ情報受信手段によって受信された前記コンテンツ情報を、前記コンテンツ再生装置及び前記他のＡＶ機器の少なくとも１つに送信する第２コンテンツ情報送信手段とをさらに有する。
【００１４】
この場合、ＡＶ機器が外部サーバからコンテンツ情報を取得した場合でも、コンテンツ受信装置及びその他の機器でコンテンツ情報を表示することができる。
【００１５】
好ましくは、前記コンテンツ受信装置が、前記第１取得手段が取得した前記コンテンツ情報を、前記コンテンツ再生装置及び前記ＡＶ機器の少なくとも１つに送信する第３コンテンツ情報送信手段をさらに有する。
【００１６】
この場合、コンテンツ受信装置が外部サーバからコンテンツ情報を取得した場合でも、その他の機器でコンテンツ情報を表示することができる。
【発明の効果】
【００１７】
コンテンツを再生しないコンテンツ受信装置またはその他ＡＶ機器が、コンテンツ再生装置が再生するコンテンツのコンテンツ情報を表示することができる。コンテンツ再生装置が外部サーバに接続できない場合であっても、コンテンツ受信装置又は他のＡＶ機器のうち、外部サーバに接続可能な機器が検索されることにより、外部サーバに接続可能な機器が外部サーバからコンテンツ情報を取得して、いずれかの機器でコンテンツ情報を表示することができる。
【発明を実施するための最良の形態】
【００１８】
以下、本発明の好ましい実施形態によるＤＶＤプレーヤ、ＡＶアンプ及びディスプレイ装置を備えるコンテンツ情報表示システムついて、図面を参照して具体的に説明するが、本発明はこれらの実施形態には限定されない。コンテンツデータは、映像（画像も含む、以下同様。）データおよび／または音声データの総称である。コンテンツ情報は、コンテンツに関するメタデータ、属性情報、楽曲情報（例えば、曲名、アーティスト名、アルバム名、ジャンル名、リリース年等）である。ＴＯＣ(Table of contents)とは、ＣＤ（又はＤＶＤ等）のトラックやセッションなどの情報がかかれているＣＤの目次情報である。
【００１９】
図１は、ＤＶＤプレーヤ１０Ａ，１０Ｂ、ＡＶアンプ２０及びディスプレイ装置３０を示すブロック図である。ＤＶＤプレーヤ１０Ａ，１０Ｂ、ＡＶアンプ２０及びディスプレイ装置３０は、例えばＨＤＭＩ規格に準拠しており、ＨＤＭＩケーブルを介して相互に接続されている。また、ＤＶＤプレーヤ１０Ａ，１０Ｂ、ＡＶアンプ２０及びディスプレイ装置３０の少なくとも１つは、ネットワーク通信部を備え、例えばインターネット等の任意のネットワークを介して外部のコンテンツ情報サーバ（ＣＤＤＢサーバともいう。）に接続可能であり、コンテンツ情報サーバからＤＶＤプレーヤ１０で再生されるＣＤの曲データのコンテンツ情報を取得する。
【００２０】
［ＤＶＤプレーヤ１０Ａの構成］
ＤＶＤプレーヤ１０Ａ（ＤＶＤプレーヤ１０Ｂも同様）は、再生部１１と、ＨＤＭＩ送信部１３と、システム制御部１４と、操作表示部１５と、メモリ１６と、コネクタ部１７と、ネットワーク通信部１８とを有している。
【００２１】
再生部１１は、例えばＤＶＤディスク（以下、ＤＶＤという。）が挿入された時、ＤＶＤに記録されている映像データ及び音声データを読み出して、デコードし、ＨＤＭＩ送信部１３に供給する。また、再生部１１は、ＣＤディスク（以下、ＣＤという。）が挿入された時、ＣＤに記録されている音声データを読み出して、デコードし、ＨＤＭＩ送信部１３に供給する。再生部１１は、図示しない光ピックアップ、サーボ回路、ＭＰＥＧデコーダ、音声デコーダ等を含む。
【００２２】
ＨＤＭＩ送信部１３は、再生部１１から供給された映像データ及び／又は音声データを、システム制御部１４からのコマンドにより、ＨＤＭＩ規格のデータ（以下、ＨＤＭＩデータ）に変換する。ＨＤＭＩ送信部１３は、ＨＤＭＩデータを、コネクタ部１７を介してＡＶアンプ２０に送信する。従って、ＨＤＭＩ送信部１３から送信されるＨＤＭＩデータには、再生部１１でＤＶＤが再生される場合には映像データ及び音声データが含まれ、ＣＤが再生される場合には音声データのみが含まれている。
【００２３】
ネットワーク通信部１８は、インターネットを介してコンテンツ情報サーバにアクセスし、コンテンツ情報サーバにＣＤのＴＯＣ情報を送信し、ＣＤの曲データ単位にコンテンツ情報を取得する。
【００２４】
操作表示部１５は、ユーザ操作を受け付けて、システム制御部１４に送信するものであり、リモコン送受信機やＤＶＤプレーヤ１０Ａの筐体に設けられた操作ボタンを含む。また、操作表示部１５は、再生部１１に挿入されているＣＤに収録されている曲データの楽曲情報の一覧や、現在再生されている曲データの楽曲情報を表示する。
【００２５】
システム制御部１４は、内蔵又は接続されたメモリに格納されているＤＶＤプレーヤの動作プログラムに基づいて、再生部１１、ＨＤＭＩ送信部１３、操作表示部１５、メモリ１６、ネットワーク通信部１８等を制御するものであり、例えば、マイクロコンピュータやＣＰＵ等である。システム制御部１４は、操作表示部１５からの操作入力または各部からの制御信号およびデータに基づいて各種処理を実行する。
【００２６】
システム制御部１４は、ＣＥＣラインを介してＡＶアンプ２０のシステム制御部２３に接続され、システム制御部２３とコマンドおよび／またはデータを送受信する。
【００２７】
システム制御部１４は、ＡＶアンプ２０から楽曲情報問合せコマンド受信すると、ＣＤのＴＯＣ情報に基づいてコンテンツ情報サーバから楽曲情報を取得し、ＣＥＣラインを介して、ＣＤの曲データの楽曲情報をＡＶアンプ２０のシステム制御部２３に送信する。また、ＤＶＤプレーヤ１０Ａがネットワーク通信部１８を備えていない、又は、通信障害によりコンテンツ情報サーバにアクセスできないために楽曲情報を取得できない場合には、システム制御部１４は、楽曲情報を取得できない旨の通知及びＴＯＣ情報を、ＣＥＣラインを介してＡＶアンプ２０のシステム制御部２３に送信する。また、システム制御部２３は、ＡＶアンプ２０のシステム制御部２３から、当該ＴＯＣ情報に対する楽曲情報を受信すると、楽曲情報を操作表示部１５に表示させる。
【００２８】
また、システム制御部１４は、ＡＶアンプ２０のシステム制御部２３から、ネットワーク接続可能か否かの問合せを受信したとき、ネットワーク接続可能か否かの情報を返信する。また、システム制御部１４は、ＡＶアンプ２０のシステム制御部２３から、ＴＯＣ情報を含む楽曲情報取得コマンドを受信したとき、ＴＯＣ情報に基づいてコンテンツ情報サーバから楽曲情報を取得し、ＣＥＣラインを介してＡＶアンプ２０のシステム制御部２３に送信する。また、システム制御部１４は、ＡＶアンプ２０のシステム制御部２３から、楽曲情報を受信したとき、操作表示部１５に楽曲情報を表示させる。
【００２９】
［ＡＶアンプの構成］
ＡＶアンプ２０は、ＨＤＭＩ受信部２１と、ＨＤＭＩ送信部２２と、システム制御部２３と、操作表示部２４と、メモリ２５と、音声処理部２６と、コネクタ部２７，２７ｂ，２８と、ネットワーク通信部２９とを有している。
【００３０】
ＨＤＭＩ受信部２１は、セレクタ部としての機能を有しており、コネクタ部２７，２７ｂに接続された各機器（ＤＶＤプレーヤ１０Ａ，１０Ｂ）から供給されるＨＤＭＩデータの中から受信すべきＨＤＭＩデータを一つ選択する。つまり、ＨＤＭＩ受信部２１は、ＤＶＤプレーヤ１０Ａ，１０Ｂが接続されたコネクタ部２７，２７ｂから１つのコネクタ部を選択する。
【００３１】
ＨＤＭＩ受信部２１は、選択したＤＶＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。なお、再生部１１でＣＤが再生される場合には、ＨＤＭＩデータに映像データが含まれないので、ＨＤＭＩデータから元の音声データが生成され音声処理部２６に供給されるが、映像データはＨＤＭＩ送信部２２に供給されない。
【００３２】
ＨＤＭＩ送信部２２は、ＨＤＭＩ受信部２１から供給された映像データ、および、必要に応じて音声処理部２６から供給された音声データを、ＨＤＭＩデータに変換する。ＨＤＭＩ送信部２２は、コネクタ部２８を介してディスプレイ装置３０にＨＤＭＩデータを送信する。なお、再生部１１でＣＤが再生される場合には、ＨＤＭＩ受信部２１から映像データが供給されないので、ＨＤＭＩ送信部２２は、音声処理部２６から供給された音声データのみを含むＨＤＭＩデータをディスプレイ装置３０に送信する。
【００３３】
音声処理部２６は、ＨＤＭＩ受信部２１から供給された音声データに対して、例えば、信号処理、遅延処理、イコライザ処理、音量調整処理、増幅処理、Ｄ／Ａ変換等の音声処理を実行し、外部に接続されたスピーカー６０に音声信号を供給する。また、必要に応じて、音声処理部２６は、音声データをＨＤＭＩ送信部２２に供給する。
【００３４】
ネットワーク通信部２９は、インターネットを介してコンテンツ情報サーバにアクセスし、コンテンツ情報サーバにＣＤのＴＯＣ情報を送信し、ＣＤの曲データ単位にコンテンツ情報を取得する。
【００３５】
操作表示部２４は、ユーザ操作を受け付けて、システム制御部２３に送信するものであり、リモコン送受信機やＡＶアンプ２０の筐体に設けられた操作ボタンを含む。また、操作表示部２４は、ＤＶＤプレーヤ１０Ａの再生部１１に挿入されているＣＤに収録されている曲データの楽曲情報の一覧や、現在再生されている曲データの楽曲情報を表示する。
【００３６】
システム制御部２３は、内蔵又は接続されたメモリ２５に記憶されているＡＶアンプの動作プログラムに基づいて、ＨＤＭＩ受信部２１、ＨＤＭＩ送信部２２、操作表示部２４、音声処理部２６、ネットワーク通信部２９等を制御するものであり、例えば、マイクロコンピュータやＣＰＵ等である。システム制御部２３は、操作表示部２４からの操作入力または各部からの制御信号およびデータに基づいて各種処理を実行する。
【００３７】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。
【００３８】
システム制御部２３は、ＨＤＭＩ受信部２１で選択されているＤＶＤプレーヤ１０（例えばＤＶＤプレーヤ１０Ａ）のシステム制御部１４に、ＣＥＣラインを介して楽曲情報問合せコマンドを送信し、ＤＶＤプレーヤ１０Ａのシステム制御部１４から楽曲情報を受信する。また、ＤＶＤプレーヤ１０Ａのシステム制御部１４から楽曲情報を取得できない旨の通知とＴＯＣ情報とを受信した場合、システム制御部２３は、ＡＶアンプ２０及びＡＶアンプ２０に接続されている他の機器（ディスプレイ装置３０及びＤＶＤプレーヤ１０Ｂ）の中から、ネットワーク通信部を備え現在コンテンツ情報サーバに接続できる（以下、ネットワーク接続可能という。）機器を検索する。ＡＶアンプ２０自身がネットワーク接続可能な機器として検索されると、システム制御部２３は、ＴＯＣ情報に基づいてコンテンツ情報サーバから楽曲情報を取得し、操作表示部２４に楽曲情報を表示させ、ＤＶＤプレーヤ１０Ａ，１０Ｂ，ディスプレイ装置３０等に楽曲情報をＣＥＣラインを介して送信する。
【００３９】
また、ＡＶアンプ２０がネットワーク接続不可能である場合には、システム制御部２３は、ＤＶＤプレーヤ１０Ａ以外の機器（ディスプレイ装置３０，ＤＶＤプレーヤ１０Ｂ）に、ネットワーク接続可能か否かの問合せを送信することにより、ネットワーク接続可能な機器を検索し、検索された機器のシステム制御部に、ＣＥＣラインを介して、ＴＯＣ情報を含む楽曲情報取得コマンドを送信する。その機器から楽曲情報を受信した場合、システム制御部２３は、操作表示部２４に楽曲情報を表示させ、ＤＶＤプレーヤ１０Ａ，１０Ｂ，ディスプレイ装置３０等に楽曲情報をＣＥＣラインを介して送信する。
【００４０】
［ディスプレイ装置３０の構成］
ディスプレイ装置３０は、ＨＤＭＩ受信部３１と、表示部３２と、システム制御部３３と、メモリ３４と、操作部３５と、ネットワーク通信部３６と、コネクタ部３８とを有する。
【００４１】
ＨＤＭＩ受信部３１は、ＡＶアンプ２０のＨＤＭＩ送信部２２から送信されたＨＤＭＩデータを受信して、ＨＤＭＩデータから元の映像データを生成し、表示部３２に供給する。
【００４２】
表示部３２は、ＨＤＭＩ受信部３１から映像データが供給され、当該映像データに基づいて映像を表示するものであり、例えば、ＬＣＤまたはＰＤＰ等である。また、表示部３２は、ＤＶＤプレーヤ１０Ａの再生部１１に挿入されているＣＤに収録されている曲データの楽曲情報の一覧や、現在再生されている曲データの楽曲情報を表示する。
【００４３】
ネットワーク通信部３６は、インターネットを介してコンテンツ情報サーバにアクセスし、コンテンツ情報サーバにＣＤのＴＯＣ情報を送信し、ＣＤの曲データ単位にコンテンツ情報を取得する。
【００４４】
操作部３５は、ユーザ操作を受け付けて、システム制御部３３に送信するものであり、リモコン送受信機やディスプレイ装置３０の筐体に設けられた操作ボタンを含む。
【００４５】
システム制御部３３は、内蔵又は接続されたメモリ３４に格納されたディスプレイ装置の動作プログラムに基づいて、ＨＤＭＩ受信部３１、表示部３２、映像処理部３６等を制御するものであり、例えば、マイクロコンピュータやＣＰＵ等である。システム制御部３３は、操作部３５からの操作入力または各部からの制御信号およびデータに基づいて各種処理を実行する。
【００４６】
システム制御部３３は、ＡＶアンプ２０のシステム制御部２３から、ネットワーク接続可能か否かの問合せを受信したとき、ネットワーク接続可能か否かの情報を返信する。また、システム制御部３３は、ＡＶアンプ２０のシステム制御部２３から、ＴＯＣ情報を含む楽曲情報取得コマンドを受信したとき、ＴＯＣ情報に基づいてコンテンツ情報サーバから楽曲情報を取得し、ＣＥＣラインを介してＡＶアンプ２０のシステム制御部２３に送信する。また、システム制御部３３は、ＡＶアンプ２０のシステム制御部２３から、楽曲情報を受信したとき、表示部３２に楽曲情報を表示させる。
【００４７】
［動作］
以下、本発明の動作を説明する。本例では、ＡＶアンプ２０のＨＤＭＩ受信部２１はＤＶＤプレーヤ１０Ａを選択し、ＤＶＤプレーヤ１０ＡがＣＤを再生する場合を例に説明する。図２はＡＶアンプ２０のシステム制御部２３の処理を示し、図３はＤＶＤプレーヤ１０Ａのシステム制御部１４の処理を示し、図４はディスプレイ装置３０のシステム制御部３３（又は、ＤＶＤプレーヤ１０Ｂのシステム制御部１４）の処理を示す。
【００４８】
［（Ａ）ＤＶＤプレーヤ１０Ａがネットワーク接続可能な場合］
図５を参照し概要を説明する。ＡＶアンプ２０は、ＤＶＤプレーヤ１０Ａに楽曲情報問合せコマンドを送信する（１）。ＤＶＤプレーヤ１０Ａは、コンテンツ情報サーバから楽曲情報を取得して表示し（２）、ＡＶアンプ２０に楽曲情報を返信する（３）。ＡＶアンプ２０は楽曲情報を受信して表示し（３）、ディスプレイ装置３０とＤＶＤプレーヤ１０Ｂとに楽曲情報を転送する（４）（５）。ディスプレイ装置３０とＤＶＤプレーヤ１０Ｂとは、楽曲情報を受信し、表示する。以下、詳細に説明する。
【００４９】
図２に示すように、ＡＶアンプ２０のシステム制御部２３は、ユーザ操作によってＣＥＣ機能が有効に設定されているか否かを判断する（Ｓ１）。ＣＥＣ機能が無効であれば（Ｓ１でＮＯ）、処理を終了するが、ＣＥＣ機能が有効であれば（Ｓ１でＹＥＳ）、システム制御部２３は、ディスプレイ装置３０のシステム制御部３３及び／又はＤＶＤプレーヤ１０Ｂのシステム制御部１４とＣＥＣラインを介してコマンドを送受信可能か否かを、実際にコマンドを送受信することによって確認する（Ｓ２）。
【００５０】
続いて、システム制御部２３は、ＤＶＤプレーヤ１０Ａのシステム制御部１４とＣＥＣラインを介してコマンドを送受信可能か否かを、実際にコマンドを送受信することによって確認する（Ｓ３）。可能でなければ（Ｓ３でＮＯ）、処理を終了するが、可能であれば（Ｓ３でＹＥＳ）、システム制御部２３は、現在ＨＤＭＩ受信部２１が選択しているＤＶＤプレーヤ１０Ａのシステム制御部１４に楽曲情報問合せコマンドを送信する（Ｓ４）。
【００５１】
図３に示すように、ＤＶＤプレーヤ１０Ａのシステム制御部１４は、ユーザ操作によってＣＥＣ機能が有効に設定されているか否かを判断する（Ｓ３１）。ＣＥＣ機能が無効であれば（Ｓ３１でＮＯ）、処理を終了するが、ＣＥＣ機能が有効であれば（Ｓ３１でＹＥＳ）、システム制御部１４は、ＡＶアンプ２０のシステム制御部２３とＣＥＣラインを介してコマンドを送受信可能か否かを、実際にコマンドを送受信することによって確認する（Ｓ３２）。可能でなければ（Ｓ３２でＮＯ）、処理を終了するが、可能であれば（Ｓ３２でＹＥＳ）、システム制御部１４は、ＡＶアンプ２０のシステム制御部２３から、楽曲情報問合せコマンドを受信したかを判断する（Ｓ３３）。
【００５２】
楽曲情報問合せコマンドを受信した場合（Ｓ３３でＹＥＳ）、システム制御部１４は、再生部１１に挿入されているＣＤに楽曲情報が含まれている、又は、メモリ内に楽曲情報を保存している等の理由により既に楽曲情報があるか否かを判断する（Ｓ３４）。楽曲情報があれば（Ｓ３４でＹＥＳ）、Ｓ３５に進むが、この場合は、楽曲情報がないので（Ｓ３４でＮＯ）、システム制御部１４は、ＣＤのＴＯＣ情報を取得できるか否かを判断する（Ｓ３７）。ＣＤが挿入されていない等の理由でＴＯＣ情報を取得できなければ（Ｓ３７でＮＯ）、Ｓ４０に進むが、この場合は、ＴＯＣ情報を取得できるので（Ｓ３７でＹＥＳ）、システム制御部１４は、ＤＶＤプレーヤ１０Ａがネットワーク接続可能であるか否かを判断する（Ｓ３８）。
【００５３】
ここでは、ネットワーク接続可能であるので（Ｓ３８でＹＥＳ）、システム制御部１４は、ＴＯＣ情報をコンテンツ情報サーバ７０に送信し、コンテンツ情報サーバから楽曲情報を取得する（Ｓ３９）。システム制御部２３は、取得した楽曲情報（例えば、ＣＤに含まれる全曲データの楽曲情報一覧、及び／又は、現在再生中の曲データの楽曲情報）を、ＣＥＣラインを介してＡＶアンプ２０のシステム制御部２３に送信する（Ｓ３５）。そして、システム制御部１４は、取得した楽曲情報を操作表示部１５に表示させる（Ｓ３６）。
【００５４】
図２に示すように、ＡＶアンプ２０のシステム制御部２３は、ＤＶＤプレーヤ１０Ａのシステム制御部１４から楽曲情報を受信する（Ｓ４）。そして、システム制御部２３は、Ｓ５でＤＶＤプレーヤ１０Ａから楽曲情報を取得できたと判断し（Ｓ５でＹＥＳ）、ＣＥＣラインを介してコマンドを送受信可能な機器（例えば、ディスプレイ装置３０，ＤＶＤプレーヤ１０Ｂ）のシステム制御部に、楽曲情報を送信する（Ｓ６）。そして、システム制御部２３は、操作表示部２４に楽曲情報を表示させる（Ｓ７）。
【００５５】
図４に示すように、ディスプレイ装置３０のシステム制御部３３（又は、ＤＶＤプレーヤ１０Ｂのシステム制御部１４、以下同様。）は、ユーザ操作によってＣＥＣ機能が有効に設定されているか否かを判断する（Ｓ５１）。ＣＥＣ機能が無効であれば（Ｓ５１でＮＯ）、処理を終了するが、ＣＥＣ機能が有効であれば（Ｓ５１でＹＥＳ）、システム制御部３３は、ＡＶアンプ２０のシステム制御部２３とＣＥＣラインを介してコマンドを送受信可能か否かを、実際にコマンドを送受信することによって確認する（Ｓ５２）。可能でなければ（Ｓ５２でＮＯ）、処理を終了するが、可能であれば（Ｓ５２でＹＥＳ）、システム制御部３３は、ＡＶアンプ２０のシステム制御部２３から、ネットワーク接続可能か否かの問合せコマンドを受信したかを判断する（Ｓ５３）。
【００５６】
ここでは、受信していないので（Ｓ５３でＮＯ）、システム制御部３３は、ＡＶアンプ２０のシステム制御部２３から、楽曲情報を受信したかを判断する（Ｓ５４）。ここでは、楽曲情報を受信するので（Ｓ５４でＹＥＳ）、システム制御部３３は、受信した楽曲情報を表示部３２に表示させる（Ｓ５５）。
【００５７】
以上のように、ＤＶＤプレーヤ１０Ａがネットワーク接続可能な場合に、ＤＶＤプレーヤ１０Ａがコンテンツ情報を取得することにより、ＤＶＤプレーヤ１０Ａ，１０Ｂ，ＡＶアンプ２０，ディスプレイ装置３０が、ＤＶＤプレーヤ１０Ａで再生している曲データの楽曲情報を表示することができる。なお、本例において、ＤＶＤプレーヤ１０Ａのみが楽曲情報を表示してもよく、この場合、ＤＶＤプレーヤ１０ＡからＡＶアンプ２０に楽曲情報を転送する必要がない。また、ＡＶアンプ２０のみが楽曲情報を表示してもよく、この場合、ＡＶアンプから他の機器に楽曲情報を転送する必要がない。
【００５８】
［（Ｂ）ＤＶＤプレーヤ１０Ａがネットワーク接続不可能で、ＡＶアンプ２０がネットワーク接続可能な場合］
図６を参照し概要を説明する。ＡＶアンプ２０は、ＤＶＤプレーヤ１０Ａに楽曲情報問合せコマンドを送信する（１）。ＤＶＤプレーヤ１０Ａは、楽曲情報を取得できない旨の通知及びＴＯＣ情報をＡＶアンプ２０に送信する（２）。ＡＶアンプ２０は、コンテンツ情報サーバから楽曲情報を取得して表示し（３）、ＤＶＤプレーヤ１０Ａ，１０Ｂ，ディスプレイ装置３０に楽曲情報を送信する（４）〜（６）。ディスプレイ装置３０とＤＶＤプレーヤ１０Ａ，１０Ｂとは、楽曲情報を受信し、表示する。以下、詳細に説明する。
【００５９】
図２のＳ１〜Ｓ４、図３のＳ３１〜３４、図４の処理は、［（Ａ）ＤＶＤプレーヤ１０Ａがネットワーク接続可能な場合］の説明と同じである。ここで、図３に示すように、ＤＶＤプレーヤ１０Ａのシステム制御部１４は、Ｓ３４でＮＯ，Ｓ３７でＹＥＳと判断した後、ネットワーク通信部１８を備えていない又は通信障害等によってＤＶＤプレーヤ１０Ａがネットワーク接続不可能であると判断する（Ｓ３８でＮＯ）。従って、システム制御部１４は、ＡＶアンプ２０のシステム制御部２３に、ＣＥＣラインを介して、楽曲情報を取得できない旨の通知及びＴＯＣ情報を送信する（Ｓ４０）ことにより、ＡＶアンプ２０に楽曲情報の取得を委ねる。
【００６０】
図２に示すように、ＡＶアンプ２０のシステム制御部２３は、楽曲情報を取得できない旨の通知及びＴＯＣ情報を受信する（Ｓ４）と、ＤＶＤプレーヤ１０Ａから楽曲情報を取得できなかったと判断する（Ｓ５でＮＯ）。続いて、システム制御部２３は、ＤＶＤプレーヤ１０Ａのシステム制御部１４からの通知にＴＯＣ情報が含まれていたかを判断する（Ｓ８）。ＴＯＣ情報が含まれていなければ（Ｓ８でＮＯ）、処理を終了するが、この場合は、ＴＯＣ情報が含まれているので（Ｓ８でＹＥＳ）、システム制御部２３は、ネットワーク接続可能な機器を検索する。システム制御部２３は、まず、ＡＶアンプ２０自身がネットワーク接続可能であるか否かを判断する（Ｓ９）。ＡＶアンプ２０自身がネットワーク接続可能であるか先に判断することによって、他の機器との無駄な通信を防止することができる。
【００６１】
ここでは、ＡＶアンプ２０はネットワーク接続可能であるので（Ｓ９でＹＥＳ）、システム制御部２３は、ＴＯＣ情報に基づいてコンテンツ情報サーバ７０から楽曲情報を取得する（Ｓ１０）。そして、システム制御部２３は、ＣＥＣラインを介してコマンドを送受信可能な機器（例えば、ディスプレイ装置３０，ＤＶＤプレーヤ１０Ａ，１０Ｂ）の各システム制御部に、楽曲情報を送信する（Ｓ６）。そして、システム制御部２３は、操作表示部２４に楽曲情報を表示させる（Ｓ７）。
【００６２】
図３に示すように、ＤＶＤプレーヤ１０Ａのシステム制御部１４は、ＡＶアンプ２０のシステム制御部２３からの楽曲情報の受信を監視しており（Ｓ４１）、楽曲情報を受信すると（Ｓ４１でＹＥＳ）、受信した楽曲情報を操作表示部１５に表示させる。
【００６３】
図４に示すように、ディスプレイ装置３０のシステム制御部３３は、ＡＶアンプ２０のシステム制御部２３から楽曲情報を受信すると（Ｓ５４でＹＥＳ）、受信した楽曲情報を表示部３２に表示させる（Ｓ５５）。
【００６４】
以上のように、ＤＶＤプレーヤ１０Ａがネットワーク接続不可能であり、ＡＶアンプ２０がネットワーク接続可能な場合には、ＡＶアンプ２０がコンテンツ情報サーバから楽曲情報を取得することにより、ＤＶＤプレーヤ１０Ａ，１０Ｂ，ＡＶアンプ２０，ディスプレイ装置３０が、ＤＶＤプレーヤ１０Ａで再生している曲データの楽曲情報を表示することができる。なお、本例において、ＡＶアンプ２０のみが楽曲情報を表示してもよく、この場合、ＡＶアンプ２０から他の機器に楽曲情報を転送する必要がない。
【００６５】
［（Ｃ）ＤＶＤプレーヤ１０Ａ，ＡＶアンプ２０がネットワーク接続不可能で、ディスプレイ装置３０がネットワーク接続可能な場合］
図７を参照し概要を説明する。ＡＶアンプ２０は、ＤＶＤプレーヤ１０Ａに楽曲情報問合せコマンドを送信する（１）。ＤＶＤプレーヤ１０Ａは、楽曲情報を取得できない旨の通知及びＴＯＣ情報をＡＶアンプ２０に送信する（２）。ＡＶアンプ２０は、ディスプレイ装置３０に楽曲情報取得コマンド及びＴＯＣ情報を送信する（３）。ディスプレイ装置３０は、コンテンツ情報サーバから楽曲情報を取得して表示し（４）、ＡＶアンプ２０に楽曲情報を送信する（５）。ＡＶアンプ２０は、楽曲情報を受信して表示し（５）、ＤＶＤプレーヤ１０Ａ，１０Ｂに楽曲情報を送信する（６）（７）。ＤＶＤプレーヤ１０Ａ，１０Ｂは、楽曲情報を受信し、表示する。以下、詳細に説明する。
【００６６】
図２のＳ１〜Ｓ４、図３のＳ３１〜３４、ディスプレイ装置３０に関する図４のＳ５１〜Ｓ５２、ＤＶＤプレーヤ１０Ｂに関する図４の処理は、［（Ａ）ＤＶＤプレーヤ１０Ａがネットワーク接続可能な場合］の説明と同じである。図３に示すように、ＤＶＤプレーヤ１０Ａのシステム制御部１４は、Ｓ３４でＮＯ，Ｓ３７でＹＥＳと判断した後、ＤＶＤプレーヤ１０Ａがネットワーク接続不可能であると判断する（Ｓ３８でＮＯ）。従って、システム制御部１４は、ＡＶアンプ２０のシステム制御部２３に、ＣＥＣラインを介して、楽曲情報を取得できない旨の通知及びＴＯＣ情報を送信する（Ｓ４０）。
【００６７】
図２に示すように、ＡＶアンプ２０のシステム制御部２３は、楽曲情報を取得できない旨の通知及びＴＯＣ情報を受信し（Ｓ４）、ＤＶＤプレーヤ１０Ａから楽曲情報を取得できなかったと判断する（Ｓ５でＮＯ）。続いて、システム制御部２３は、ＤＶＤプレーヤ１０Ａのシステム制御部１４からのコマンドにＴＯＣ情報が含まれていたと判断し（Ｓ８でＹＥＳ）、ＡＶアンプ２０がネットワーク接続可能であるか否かを判断する（Ｓ９）。
【００６８】
ここでは、ＡＶアンプ２０はネットワーク接続不可能であるので（Ｓ９でＮＯ）、システム制御部２３は、Ｓ２で確認したＣＥＣラインを介してコマンドを送受信可能な機器にネットワーク接続可能か否かの問合せを送信することにより、ネットワーク接続可能な機器を検索する（Ｓ１１）。ここでは、ディスプレイ装置３０のシステム制御部３３にネットワーク接続可能か否かの問合せを送信する。
【００６９】
図４に示すように、ディスプレイ装置３０のシステム制御部３３は、ＡＶアンプ２０のシステム制御部２３から、ネットワーク接続可能か否かの問合せを受信すると（Ｓ５３でＹＥＳ）、ディスプレイ装置３０がネットワーク接続可能であるか否かを判断する（Ｓ５６）。ここでは、ネットワーク接続可能であるので（Ｓ５６でＹＥＳ）、システム制御部３３は、ＡＶアンプ２０のシステム制御部２３にＣＥＣラインを介して、ネットワーク接続可能である旨の通知を送信する（Ｓ５７）。
【００７０】
図２に示すように、ＡＶアンプ２０のシステム制御部２３は、ディスプレイ装置３０のシステム制御部３３からネットワーク接続可能である旨の通知を受信すると（Ｓ１１）、ディスプレイ装置３０がネットワーク接続可能であると判断し（Ｓ１２でＹＥＳ）、ディスプレイ装置３０のシステム制御部３３にＴＯＣ情報を含む楽曲情報取得コマンドを、ＣＥＣラインを介して送信する（Ｓ１３）。
【００７１】
図４に示すように、ディスプレイ装置３０のシステム制御部３３は、ＡＶアンプ２０のシステム制御部２３から楽曲情報取得コマンドの受信を監視しており（Ｓ５９）、楽曲情報取得コマンドを受信すると（Ｓ５９でＹＥＳ）、ＴＯＣ情報に基づいてコンテンツ情報サーバ７０から楽曲情報を取得し、表示部３２に表示させる（Ｓ６０）。続いて、システム制御部３３は、ＡＶアンプ２０のシステム制御部２３に、ＣＥＣラインを介して、楽曲情報を送信する（Ｓ６１）。
【００７２】
図２に示すように、ＡＶアンプ２０のシステム制御部２３は、ディスプレイ装置３０のシステム制御部３３から楽曲情報の受信を監視しており（Ｓ１４）、楽曲情報を受信すると（Ｓ１４でＹＥＳ）、ＣＥＣラインを介してコマンドを送受信可能な機器（例えば、ＤＶＤプレーヤ１０Ａ，１０Ｂ）の各システム制御部に、楽曲情報を送信する（Ｓ６）。そして、システム制御部２３は、操作表示部２４に楽曲情報を表示させる（Ｓ７）。
【００７３】
図３に示すように、ＤＶＤプレーヤ１０Ａのシステム制御部１４は、ＡＶアンプ２０のシステム制御部２３からの楽曲情報の受信を監視しており（Ｓ４１）、楽曲情報を受信すると（Ｓ４１でＹＥＳ）、受信した楽曲情報を操作表示部１５に表示させる。
【００７４】
図４に示すように、ＤＶＤプレーヤ１０Ｂのシステム制御部１４は、ＡＶアンプ２０のシステム制御部２３から楽曲情報を受信すると（Ｓ５４でＹＥＳ）、受信した楽曲情報を表示部３２に表示させる（Ｓ５５）。
【００７５】
以上のように、ＤＶＤプレーヤ１０Ａ，ＡＶアンプ２０がネットワーク接続不可能であり、ディスプレイ装置３０がネットワーク接続可能な場合には、ディスプレイ装置３０がコンテンツ情報サーバから楽曲情報を取得することにより、ＤＶＤプレーヤ１０Ａ，１０Ｂ，ＡＶアンプ２０，ディスプレイ装置３０が、ＤＶＤプレーヤ１０Ａで再生している曲データの楽曲情報を表示することができる。なお、本例において、ディスプレイ装置３０のみで楽曲情報を表示してもよく、この場合、ディスプレイ装置３０からＡＶアンプ２０に楽曲情報を転送しなくてもよい。また、ＡＶアンプ２０のみが楽曲情報を表示してもよく、この場合、ＡＶアンプ２０から他の機器に楽曲情報を転送する必要がない。
【００７６】
［（Ｄ）ＤＶＤプレーヤ１０Ａ，ＡＶアンプ２０がネットワーク接続不可能で、ＤＶＤプレーヤ１０Ｂがネットワーク接続可能な場合］
図８を参照し概要を説明する。ＡＶアンプ２０は、ＤＶＤプレーヤ１０Ａに楽曲情報問合せコマンドを送信する（１）。ＤＶＤプレーヤ１０Ａは、楽曲情報を取得できない旨の通知及びＴＯＣ情報をＡＶアンプ２０に送信する（２）。ＡＶアンプ２０は、ＤＶＤプレーヤ１０Ｂに楽曲情報取得コマンド及びＴＯＣ情報を送信する（３）。ＤＶＤプレーヤ１０Ｂは、コンテンツ情報サーバから楽曲情報を取得して表示し（４）、ＡＶアンプ２０に楽曲情報を送信する（５）。ＡＶアンプ２０は、楽曲情報を受信して表示し（５）、ＤＶＤプレーヤ１０Ａ，ディスプレイ装置３０に楽曲情報を送信する（６）（７）。ＤＶＤプレーヤ１０Ａ，ディスプレイ装置３０は、楽曲情報を受信し、表示する。
【００７７】
なお、詳細な処理は、［（Ｃ）ＤＶＤプレーヤ１０Ａ，ＡＶアンプ２０がネットワーク接続不可能で、ディスプレイ装置３０がネットワーク接続可能な場合］の説明において、ディスプレイ装置３０をＤＶＤプレーヤ１０Ｂに、ＤＶＤプレーヤ１０Ｂをディスプレイ装置３０にそれぞれ置き換えたものになる。なお、ディスプレイ装置３０がネットワーク接続不可能な場合については、図４において、ディスプレイ装置３０のシステム制御部３３は、Ｓ５６でＮＯと判断し、ＡＶアンプ２０のシステム制御部２３にネットワーク接続不可能である旨の通知を送信する（Ｓ５８）。図２において、ＡＶアンプ２０のシステム制御部２３は、ディスプレイ装置３０がネットワーク接続不可能であると判断し（Ｓ１２でＮＯ）、その結果、ＤＶＤプレーヤ１０Ｂのシステム制御部１４にネットワーク接続可能か否かの問合せを送信するとよい（Ｓ１１）。
【００７８】
以上のように、ＤＶＤプレーヤ１０Ａ，ＡＶアンプ２０がネットワーク接続不可能であり、ＤＶＤプレーヤ１０Ｂがネットワーク接続可能な場合にはＤＶＤプレーヤ１０Ｂがコンテンツ情報サーバから楽曲情報を取得することにより、ＤＶＤプレーヤ１０Ａ，１０Ｂ，ＡＶアンプ２０，ディスプレイ装置３０が、ＤＶＤプレーヤ１０Ａで再生している曲データの楽曲情報を表示することができる。
【００７９】
以上、本発明の好ましい実施形態を説明したが、本発明はこれらの実施形態には限定されない。ＤＶＤプレーヤ、ＡＶアンプ、ディスプレイ装置の上記動作をコンピュータに実行させるためのプログラムおよびこれを記録した記録媒体という形態で提供されてもよい。また、ＡＶアンプ又はディスプレイ装置の上記動作の一部のみのプログラムを、ＡＶアンプやディスプレイ装置にファームウェアアップデートという形態で提供されてもよい。さらには、ＡＶアンプ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００８０】
本発明は、ＤＶＤプレーヤ、ＡＶアンプおよびディスプレイ装置等に好適に採用され得る。
【図面の簡単な説明】
【００８１】
【図１】本発明の好ましい実施形態によるＤＶＤプレーヤ１０、ＡＶアンプ２０及びディスプレイ装置３０を示すブロック図である。
【図２】ＡＶアンプ２０のシステム制御部２３の処理を示すフローチャートである。
【図３】コンテンツを再生するＤＶＤプレーヤ１０Ａのシステム制御部１４の処理を示すフローチャートである。
【図４】ディスプレイ装置３０のシステム制御部３３の処理、又は、コンテンツを再生しないＤＶＤプレーヤ１０Ｂのシステム制御部１４の処理を説明するフローチャートである。
【図５】ＤＶＤプレーヤ１０Ａがコンテンツ情報サーバからコンテンツ情報を取得する際の動作概要を説明する図である。
【図６】ＡＶアンプ２０がコンテンツ情報サーバからコンテンツ情報を取得する際の動作概要を説明する図である。
【図７】ディスプレイ装置３０がコンテンツ情報サーバからコンテンツ情報を取得する際の動作概要を説明する図である。
【図８】ＤＶＤプレーヤ１０Ｂがコンテンツ情報サーバからコンテンツ情報を取得する際の動作概要を説明する図である。
【符号の説明】
【００８２】
１０Ａ，１０Ｂ  ＤＶＤプレーヤ
２０            ＡＶアンプ
３０            ディスプレイ装置
【図１】
2009245572.tif 000003
【図２】
2009245572.tif 000004
【図３】
2009245572.tif 000005
【図４】
2009245572.tif 000006
【図５】
2009245572.tif 000007
【図６】
2009245572.tif 000008
【図７】
2009245572.tif 000009
【図８】
2009245572.tif 000010